(57)【要約】      （修正有）【課題】加熱用具を設けた携帯弁当箱を提供する。【解決手段】携帯弁当箱と同じ大きさの、不燃性材質で作製した携帯弁当箱に収納した不燃性材質の加熱容器を設け、加熱容器の中に不燃性材質の加熱器具を設け、食材受け枠と一体とした食器の形状の熱しやすく、冷めやすい材質で作製した食器受け網を設け、火力調節の、食材受け枠高さ調整足、および食材受け枠高さ調整段等を設け、固形燃料設置容器に固形燃料消火キャップをネジ型で設け、連結ストッパーで携帯弁当箱に加熱容器、加熱器具を収納した弁当箱を取り付け、持ち運び食する。【選択図】図１
2018130510.tif 000002
【特許請求の範囲】
【請求項１】
携帯弁当箱と同じ大きさの、不燃性材質で作製した携帯弁当箱に収納した不燃性材質の加熱容器を設け、加熱容器の中に不燃性材質の加熱器具を設け、食材受け枠と一体とした食器の形状の熱しやすく、冷めやすい材質で作製した食材受け網を設け、火力調整の食材受け枠高さ調整足および食材受け枠高さ調整段等を設け、固形燃料設置容器に固形燃料消火キャップをネジ型で設け、連結ストッパーで携帯弁当箱に加熱容器、加熱器具を収納した弁当箱を取り付け持ち運び食する、ことを特徴とした食材加熱用具を設けた携帯弁当箱。
【請求項２】
食器形状の食材受け網にアルミ箔の滑り落ちを防ぐアルミ箔押さえスブリングを設け、食材受け網に乗せたアルミ箔を上からなぞることによって容易にアルミ箔を食器形状にすることを特徴とする請求項１に記載の食材加熱用具を設けた携帯弁当箱。
【請求項３】
ボルト、ナット型の食材受け高さ調整足と一体の食材受け枠を回転させることによって上下にスライドさせ、上面のみ燃焼する固形燃料の火力調整ができることを特徴とした請求項１乃至請求項２に記載の食材加熱用具を設けた携帯弁当箱。
【請求項４】
食材受け枠と食器形状をした食材受け網とをスプリングで食材受け網が上に開くようにつなぎ、食材受け網に取っ手を設け上げ下げすることを特徴とした請求項１乃至３のいずれかに記載の食材加熱用具を設けた携帯弁当箱。
【請求項５】
携帯弁当箱と同等の加熱容器を設け、加熱用器取り付け枠を設け、加熱容器移設用ネジを使用することにより他の携帯弁当箱に移設、取り付けが簡単にできる請求項１乃至４のいずれか１項に記載の食材加熱用具を設けた携帯弁当箱。
【請求項６】
食材受け枠高さ調整段は上が広く横の段差をなくし、下が狭く、食材受け足が横にずりにくく、上げて回しやすくしたことを特徴とした請求項１乃至５のいずれか１項に記載の食材加熱用具を設けた携帯弁当箱。
【請求項７】
不燃性材質の携帯弁当箱と不燃性材質の加熱容器とが同じ容器とした請求項１乃至６のいずれか１項に記載の食材加熱用具を設けた携帯弁当箱。
【発明の詳細な説明】
【技術分野】
【０００１】本発明は常に持ち歩く携帯弁当箱に、同じ大きさの取り付け、取り外しができる不燃性材質の弁当箱に加熱容器と加熱用具を収納し、持ち運びのできる食材加熱用具を設けた携帯弁当箱に関するものである。
【背景技術】
【０００２】従来、携帯弁当の食材製作時の暖かさは、保温機能の付いた携帯弁当箱に於いても、時間の経過と共に冷え始め、肉、魚は冷えるにしたがって固くなりやすいものであるが、食事時間の都合上、食事時の状態のまま食していた
なお、固形燃料で煮炊きして食する加熱調理器具セットおよび専用弁当箱等が知られている。
【先行技術文献】
【特許文献】
【０００３】
【特許文献１】特開２００９−２２６１７２号公報
【発明の概要】
【発明が解決しようとする課題】
【０００４】携帯弁当食材の製作時は栄養、偏食等を考慮して、色々な食材を限りある携帯弁当箱容器の副食入れに混入しているため、冷えてよい食材、暖かいほうが栄養価のある食材と、二つの要素を持った食材を、別々の携帯弁当箱容器に入れて、２つの成果を上げることは困難な事であった。また携帯弁当はほとんどが、一定時間内に食す事が多いため、限られた時間内での食事となり、調理をするには時間がかかりすぎるため、食材製作時からの時間が経過して食材が冷えかかった携帯弁当の食材をその状態で食していた。
本発明は以上の問題点を解決するためになされたものである。
【課題を解決するための手段】
【０００５】食材を入れた携帯弁当箱と同じ大きさの不燃性材質の携帯弁当箱に、不燃性材質の加熱容器を収納し、中に加熱用具を設け、上面が燃焼する固形燃料と食材受け網との間隔の火力調節が食材受け枠高さ調整足での階段型、ボルト、ナット型等で火力調節が容易にできる、冷めやすい材質で作成した食材受け枠を設け、枠に熱しやすく、冷めやすい材質で作成した食器型の食材受け網を張り、網の上にアルミ箔を乗せ、食材受け網の両側に設けたアルミ箔押さえスプリングでアルミ箔の滑り落ちを防ぎ、アルミ箔を食材受け網に固定しながらアルミ箔を下の食材受け網に沿って、上からアルミ箔をなぞり、中央が窪んで簡単な食器状となり、食材受け枠と食材受け網とをつないだ食材受け網開閉スプリングを食材受け開閉取っ手を用い、上に上げ固形燃料をセット、点火して下げ、個々の食欲に似合った食材を食器型のアルミ箔に乗せて加熱して食し、使用後、固形燃料消火キャップをネジ型で回して取り付け、食材受け枠の足高さを収納時の位置に戻し、携帯弁当箱と携帯弁当箱兼加熱容器との連結ストッパーを止めることにより、携帯弁当箱と一体とし携帯して持ち運びができ、食材加熱容器をアタッチメントとすれば、携帯弁当箱に加熱容器取り付け枠を設けることによって、丸形、正方形、長方形と携帯弁当箱の形状が変わっても簡単に加熱容器の取り付け、取り外しの変更が容易にできる。
以上の構成よりなる食材加熱用具を設けた携帯弁当箱。
【発明の効果】
【０００６】従来、携帯弁当食材の製作時は個々の食材にあった暖かさがあった、だが保温弁当箱等で持ち運びして目的地についてもすぐ食しない限り、時間の経過と共に食材も徐々に冷めてしまうものであり、携帯弁当としては従来の状態であるが、暖かい状態では柔らかく、冷えれば固くなる食材もあり、加熱すれば良い食材を加熱して暖かくすることにより、食欲も旺盛になるもので、本発明により、そのことを可能にし、体にも、精神的にも落ち着いた食事をとることができ、食事時のセットも早く，片付けも簡単に、持ち運びも容易にできる
本発明により主食は冷えかかっていても、副食は加熱して暖かく食すことがきる。
【図面の簡単な説明】
【０００７】
【図１】本発明の携帯弁当箱、加熱容器、加熱用具の断面図
【図２】本発明の加熱用具の解体斜視図
【図３】食材受け網にアルミ箔押さえスプリングで止める前の斜視図
【図４】アルミ箔をアルミ箔押さえスプリングで止めた斜視図
【図５】食材受け網にアルミ箔押さえスプリングで止めた食器型のアルミ箔の断面図
【図６】加熱用具と食材受け枠の収納時の断面図
【図７】加熱用具と食材受け枠高さ調整段１段目の断面図
【図８】加熱用具と食材受け枠高さ調整段２段目の断面図
【図９】加熱用具のボルト、ナット型の分解斜視図
【図１０】ボルト、ナット型加熱用具の断面図
【図１１】加熱用具の移設例の断面図
【図１２】食材受け網を食材受け網開閉スプリングでの使用斜視図
【発明を実施するための説明】
【０００８】以下、本発明の実施の形態を説明する。
（イ）携帯弁当箱（１）と同じ大きさの不燃性材質の携帯弁当箱（１）内に不燃性材質で作製した加熱容器（２）を設ける。
（ロ）加熱容器（２）の内周に、食材受け枠（８）に食材受け枠高さ調整足（５）を設け、食材受け枠高さ調整足（５）がかかる食材受け枠高さ調整段（１２）を設ける。
（ハ）食材受け高さ調整段（１２）の加熱容器（２）側に凸乃至凹を、食材受け枠高さ調整足（５）に凸乃至凹の食材受け足調整ストッパー（１１）を設ける。
（二）食材受け枠（８）に食器型状をした食材受け網（４）を設け、アルミ箔の滑り落ちを防ぐ、アルミ箔押さえスプリング（９）を設け、食材受け網（４）にアルミ箔（７）を乗せ、アルミ箔押さえスプリング（９）で押さえ、食材受け網（４）に沿ってアルミ箔（７）をなぞると食材受け網（４）に沿った食器型の容器が形成され、他方をアルミ箔押さえスプリング（９）で押さえる。
（ホ）食材受け枠（８）と食材受け網（４）とをつないだ食材受け網開閉スプリング（２２）を食材受け網開閉取っ手で上に持ち上げ、固形燃料設置容器（３）に固形燃料（２４）を設置、使用し食事の終了後、食材受け網（４）を上げ，固形燃料設置容器（３）に固形燃料消火キャップ（１０）をかぶせてネジ型で回して閉め固形燃料（２４）の空気を遮断して消火する。
（ヘ）携帯弁当箱（１）と携帯弁当箱兼加熱容器（２）を連結ストッパー（１３）で止めることによって一体として持ち運びができる。
（ト）食材加熱容器（２）の食材容器移設ネジ（１８）を利用することによって他の携帯弁当箱（１）に移設が簡単にできるものである。
本発明は以上のような構造である。
本発明を使用するときは、携帯弁当箱（１）に付帯された加熱容器（２）の中の食材加熱用具（２０）の食材受け枠（８）に設けた食器状の食材受け網（４）にアルミ箔（７）を乗せ、片側のアルミ箔押さえスプリング（９）を押して固定し、アルミ箔（７）を食材受け網（４）に沿ってなぞると食器の形状を容易に設けることが出来、他方のアルミ箔押さえスプリング（９）でアルミ箔（７）を押さえ、食材受け枠高さ調整足（５）と一体とした食材受け枠（８）を取り外し、又は食材受け枠（８）と食材受け網（４）をつないだ食材受け網開閉スプリング（２２）で食材受け網開閉取っ手（２３）を用い上に上げ、下の固形燃料設置容器（３）に固形燃料（２４）をセットし、点火して食材受け枠高さ調整足（５）と一体とした食材受け枠（８）を固形燃料の火力に応じて食材受け枠高さ調整足（５）を食材受け枠高さ調整段（１２）に合わせて設置し、食材を食材受け網（４）のアルミ箔（７）に乗せて加熱して食し、使用後は固形燃料設置容器（３）にネジ型の固形燃料消火キヤップ（１０）を回して設置、消火し、食材受け枠高さ調整足（５）を収納時の位置に戻し、携帯弁当箱（１）と携帯弁当箱兼、加熱容器（２）を連結ストッパー（１３）によりつなぐことで一体の携帯弁当箱（１）として持ち運びができる、また、他の携帯弁当箱（１）に同じ大きさの、加熱用器取り付け枠（２１）を取り付けることにより、移設が容易にできる。また、食材受け調整枠（６）は上が広く下が狭い構造のため火力に応じた位置を変えるときは食材受け枠高さ調整足（５）と一体とした食材受け枠（８）を持ち上げ左右に回すことによって容易に火力の調節が食材受け枠高さ調節段（１２）を変えることによって変えられるものである。
【符号の説明】
【０００９】１    携帯弁当箱
２    加熱容器                            １１  食材受け足調整ストッパー
３    固形燃料設置容器                    １２  食材受け枠高さ調整段
４    食材受け網                          １３  連結ストッパー
５    食材受け高さ調整足                  １４  副食入れ
６    食材受け調整足枠                    １５  主食入れ
７    アルミ箔                            １６  汁物入れ
８    食材受け枠                          １７  食材受け高さ調整足枠レール
９    アルミ箔押さえスプリング            １８  加熱容器移設用ネジ
１０  固形燃料消火キャップ                １９  滑り止め
２０  食材加熱用具
２１  加熱容器取り付け枠
２２  食材受け網開閉スプリング
２３  食材受け網開閉取っ手
２４  固形燃料
【図１】
2018130510.tif 000003
【図２】
2018130510.tif 000004
【図３】
2018130510.tif 000005
【図４】
2018130510.tif 000006
【図５】
2018130510.tif 000007
【図６】
2018130510.tif 000008
【図７】
2018130510.tif 000009
【図８】
2018130510.tif 000010
【図９】
2018130510.tif 000011
【図１０】
2018130510.tif 000012
【図１１】
2018130510.tif 000013
【図１２】
2018130510.tif 000014